(57)【要約】【課題】  医師或いは理学療法士の指導の下、ベッドサイドや自宅等で個々の患者が自分に合った適切な運動を実施することを可能にする、運動プログラム提供システムと、それに用いる映像データベース、及びコンピュータプログラムを提供することを課題とする。【解決手段】  複数種類の運動の映像が、運動の１種類ごとに個別の映像情報ユニットとして記憶されている記憶装置と、その記憶装置に常時又は随時接続するウエブサーバとを備え、患者の端末からの配信要求に基づいて、医療スタッフによって設定された運動プログラムにしたがって、上記記憶装置から必要な映像情報ユニットを読み出して、患者端末に配信する手段を備えた運動プログラム提供システムを提供するとともに、複数種類の運動の映像を、運動の１種類ごとに１つの映像情報ユニットとして記憶する映像データベース、さらには、コンピュータ及び記憶装置を用いて本発明の運動プログラム提供システムを実現するコンピュータプログラムを提供することによって、上記の課題を解決する。【選択図】  図１
2008107883.tif 000002
【特許請求の範囲】
【請求項１】
記憶装置と、その記憶装置に常時又は随時接続するウエブサーバとを備えた運動プログラム提供システムであって、（Ａ）記憶装置には、複数種類の運動の映像が、運動の１種類ごとに個別の映像情報ユニットとして記憶されているとともに、映像情報ユニットが記憶されている運動を特定する情報が個々の映像情報ユニットと関連づけて記憶されており、（Ｂ）前記ウエブサーバは、（ｉ）コンピュータ端末からネットワークを介しての接続要求があったとき、その接続要求のあったコンピュータ端末の利用者を認証する手段と、（ｉｉ）その認証された利用者が医師等の医療スタッフである場合には、そのコンピュータ端末からの要求を待って或いは待たずに、映像情報ユニットが記憶されている運動を特定する情報を記憶装置から読み出して、その医療スタッフのコンピュータ端末に送信する手段と、その医療スタッフのコンピュータ端末に、個々の患者についての運動プログラムを設定及び／又は編集する運動プログラム設定・編集ページを送信する手段と、その医療スタッフのコンピュータ端末から運動プログラム設定・編集ページを通じて入力又は選択された運動、その繰り返し回数、及び、実行順序の１セットを受信して、それを、その患者についての設定された１つの運動プログラムとして記憶装置に記憶する手段と、（ｉｉｉ）その認証された利用者が患者である場合には、そのコンピュータ端末からの要求を待って或いは待たずに、その患者について設定されている運動プログラムを記憶装置から読み出す手段と、読み出した運動プログラムの設定内容をその患者のコンピュータ端末に送信する手段と、そのコンピュータ端末からの配信要求を待って或いは待たずに、記憶装置から読み出された運動プログラムに設定されている運動に対応した１又は複数の映像情報ユニットを記憶装置から読み出して、当該運動プログラムに設定されている順序で患者のコンピュータ端末に送信する手段とを備えている、運動プログラム提供システム。
【請求項２】
標準的な運動プログラムが１又は複数、記憶装置に記憶されており、医療スタッフのコンピュータ端末からの要求を待って或いは待たずに、記憶装置から１又は複数の標準的な運動プログラムを読み出して、医療スタッフのコンピュータ端末に送信する手段を備えている請求項１記載の運動プログラム提供システム。
【請求項３】
ウエブサーバが、医療スタッフのコンピュータ端末に、そのコンピュータ端末からの配信要求に基づいて、選択された運動プログラムに設定されている運動に対応した１又は複数の映像情報ユニットを、当該運動プログラムに設定されている順序で送信する手段、及び／又は、入力又は選択された運動に対応した１又は複数の映像情報ユニットを送信する手段を備えている請求項１又は２記載の運動プログラム提供システム。
【請求項４】
記憶装置には、記憶されている映像情報ユニットについての利用可能者情報が個々の映像情報ユニットと関連づけて記憶されており、ウエブサーバは、記憶装置に記憶されている利用可能者情報に基づいて、認証された利用者が利用可能者である映像情報ユニットについてのみ、当該映像情報ユニットとして記憶されている運動を特定する情報、および、当該映像情報ユニットを、その利用者のコンピュータ端末に送信する手段を備えている請求項１、２又は３記載の運動プログラム提供システム。
【請求項５】
ウエブサーバが、医療スタッフのコンピュータ端末に、そのコンピュータ端末からの要求を待って或いは待たずに、選択された患者について過去に設定された運動プログラムの履歴及び／又はその内容を送信する手段を備えている請求項１〜４のいずれかに記載の運動プログラム提供システム。
【請求項６】
ウエブサーバが、１つの運動プログラムに設定されている運動に対応した１又は複数の映像情報ユニットを当該運動プログラムに設定された順序で最後まで患者のコンピュータ端末に送信したときに、当該運動プログラムが１回実施されたと判断して、当該患者についての当該運動プログラムの実施記録として記憶装置に記憶する手段、及び、医療スタッフのコンピュータ端末からの要求を待って或いは待たずに、選択された患者についての運動プログラムの実施記録を記憶装置から読み出して、医療スタッフのコンピュータ端末に送信する手段を備えている請求項１〜５のいずれかに記載の運動プログラム提供システム。
【請求項７】
運動の１つの映像情報ユニットが、運動開始時の運動者の姿勢を示す準備映像情報サブユニットと、運動者が実際に運動を行っている状態を示す運動映像情報サブユニットとに分割されて、記憶装置に記憶されている請求項１〜６のいずれかに記載の運動プログラム提供システム。
【請求項８】
ウエブサーバが、コンピュータ端末に対し、同一映像情報ユニットを連続して２回以上送信する場合、２回目以降の映像情報ユニットから準備映像情報サブユニットを省略して送信する手段を備えている請求項７記載の運動プログラム提供システム。
【請求項９】
コンピュータ及び記憶装置を請求項１〜８のいずれかに記載の運動プログラム提供システムのウエブサーバ及び記憶装置として機能させる手順を記載したコンピュータプログラム。
【請求項１０】
複数種類の運動の映像を、運動の１種類ごとに１つの映像情報ユニットとして記憶する映像データベース。
【請求項１１】
運動の１つの映像情報ユニットが、運動開始時の運動者の姿勢を示す準備映像情報サブユニットと、運動者が実際に運動を行っている状態を示す運動映像情報サブユニットとに分割して、記憶されている請求項１０記載の映像データベース。
【発明の詳細な説明】
【技術分野】
【０００１】
本発明は、運動プログラム提供システムに関し、詳細には、個々の患者にカスタマイズした運動プログラムを提供することが可能な運動プログラム提供システムと、そのようなシステムを実現するコンピュータプログラム、並びに、運動プログラム提供システムに用いる映像データベースに関する。
【背景技術】
【０００２】
医療機関においては、疾患そのものに対する治療や施術が行われることはもちろんであるけれども、疾患などが原因で、身体的運動機能に障害が認められたり、身体的運動機能が一時的に低下した患者に対しては、種々のリハビリ運動や運動機能温存のための運動を実施して、身体的運動機能の回復や維持を図り、また、起き上がり方や座り方といった種々の日常動作を実行する手順を教授して、日常生活に必要な種々の動作の円滑かつ安全な実行を可能にし、患者が、一日でも早く、円滑に、社会復帰することを支援する努力が行われている。
【０００３】
上記リハビリ運動や機能温存運動などの運動は、医師の指導の下に実施されるものであり、医師或いは理学療法士が、個々の患者における運動機能障害の部位や程度、また、そのような運動機能障害をもたらした原因、さらには、患者の年齢や性別などの条件を十分に考慮した上で、個々の患者ごとに最も適切なリハビリ運動や機能温存運動などの運動プログラムを設定して実施されるものである。患者は、通常、理学療法士が在駐するリハビリ訓練室などに赴くか、それができない場合には、理学療法士にベッドサイドまで来てもらい、個別に指導を受けながらリハビリ運動や機能温存運動を行うことになる。
【０００４】
ところが、場合によっては、医師又は理学療法士の指導の下、患者が、ベッドサイド或いは自宅等で、リハビリ運動や機能温存運動などの運動を実行しなければならないことがある。この場合、従来は、医師或いは理学療法士が、当該患者に必要な運動やその仕方、順序等を紙にメモして渡したり、予め種々の運動の仕方が印刷されているプリント紙を用意しておき、そのプリント紙の適当な箇所に印を付して患者に手渡したりすることが行われている。しかしながら、個々の患者に設定されるリハビリ運動や機能温存運動などの運動は多種多様で、例えば、個々の患者における運動機能障害の部位やその原因、障害の程度、年齢、性別等の条件によって、動かすべき身体の部位や、動かす方向、動かす程度、動かす順序や回数などが細かく異なっているのが普通である。このため、個々の患者に設定されている各種運動の順序と内容等を細かく紙にメモするには多大の労力と時間を要し、往々にして、メモされる内容は簡単なものとならざるを得ず、患者にとって自分が行うべき運動の十分な指針になるとは言い難い。また、予め種々の運動の仕方が印刷されているプリント紙の適当な箇所に印を付して手渡す方法では、手渡されたプリント紙には、その患者に必要のないその他多くの運動も印刷されており、個々の患者にとってはノイズが多すぎ、時には、必要のない他の運動をしたり、逆に、必要な運動をしなかったりするといった間違いが生じる不都合があった。
【０００５】
このような不都合を多少でも軽減するために、リハビリ運動の映像をビデオに納め、それを患者が適宜再生して見ることによって、理学療法士が同席していなくても、指導されたリハビリ運動や機能温存運動を実施することができるようにする試みも行われている。しかしながら、通常、ビデオに納められているのは一般的なリハビリ運動や機能温存運動の映像であり、複数種類の運動の映像がビデオに納められている場合には、患者は、納められている複数のビデオ映像から、自分が実施すべき運動の映像を選び出さなければならず、しかも、納められている一般的なリハビリ運動等は、必ずしも、その患者の運動機能に応じたものではないので、時には、患者は、ビデオ映像の運動についていけず、やる気を無くしたり、無理をして、かえって身体的運動機能を損なってしまうといった欠点があった。
【０００６】
さらに、このようなメモやビデオで運動の内容を患者に伝えるという従来のやり方では、指導したリハビリ運動や機能温存運動などの運動を、患者が実際にベッドサイドや自宅等で実行したかどうかを、医師又は理学療法士の側から確認する術がなく、医師又は理学療法士は、指導した運動の実施状況の把握に関しては、患者の自己申告に頼らざるを得ないという不便さもあった。
【０００７】
一方、患者が、特定のリハビリ訓練室などに行かなくてもベッドサイドでリハビリ運動を実施することを可能にするシステムも種々提案されている（例えば、特許文献１、特許文献２参照）けれども、これらは、コンピュータによってベッドサイドに仮想環境を提示し、この提示する仮想環境を、患者の運動に合わせて制御して、ベッドにいながらリハビリ運動を実施する意欲を高めたり、ゲーム感覚でベッドサイドでリハビリ運動を実施することを可能にすることを主眼に置くものであり、極めて複雑である上に、患者ごとに個別にカスタマイズされたリハビリ運動プログラムを提示するといったものではない。
【特許文献１】特開平１０−１５１１６２号公報
【特許文献２】特開２００５−２７９１９２号公報
【発明の開示】
【発明が解決しようとする課題】
【０００８】
本発明は、上記のような従来技術が有する問題点を解決するために為されたもので、医師或いは理学療法士の指導の下、個々の患者が、ベッドサイドや自宅等、好きな場所で、自分に設定された適切な運動を随時実施することを可能にする、運動プログラム提供システムと、それに用いる映像データベース、さらにはそのような運動プログラム提供システムを実現するためのコンピュータプログラムを提供することを課題とするものである。
【課題を解決するための手段】
【０００９】
上記の課題を解決すべく、種々試行錯誤を重ねた結果、本発明者は、複数種類の運動の映像が、運動の１種類ごとに個別の映像情報ユニットとして記憶されている映像データベースを構築するとともに、この映像データベースに記憶されている運動の映像情報ユニットを、個々の患者に設定されている運動プログラムの内容に応じて並べ替えて、ネットワーク技術を利用して患者端末に送信することによって、個々の患者がどこに居ようと、随時、カスタマイズされた運動のプログラムを映像として受信、再生して、自己に設定された適切な運動を実施することが可能となることを見出して、本発明を完成した。
【００１０】
すなわち、本発明は、記憶装置と、その記憶装置に常時又は随時接続するウエブサーバとを備えた運動プログラム提供システムであって、（Ａ）記憶装置には、複数種類の運動の映像が、運動の１種類ごとに個別の映像情報ユニットとして記憶されているとともに、映像情報ユニットが記憶されている運動を特定する情報が個々の映像情報ユニットと関連づけて記憶されており、（Ｂ）前記ウエブサーバは、（ｉ）コンピュータ端末からネットワークを介しての接続要求があったとき、その接続要求のあったコンピュータ端末の利用者を認証する手段と、（ｉｉ）その認証された利用者が医師等の医療スタッフである場合には、そのコンピュータ端末からの要求を待って或いは待たずに、映像情報ユニットが記憶されている運動を特定する情報を記憶装置から読み出して、その医療スタッフのコンピュータ端末に送信する手段と、その医療スタッフのコンピュータ端末に、個々の患者についての運動プログラムを設定及び／又は編集する運動プログラム設定・編集ページを送信する手段と、その医療スタッフのコンピュータ端末から運動プログラム設定・編集ページを通じて入力又は選択された運動、その繰り返し回数、及び、実行順序の１セットを受信して、それを、その患者についての設定された１つの運動プログラムとして記憶装置に記憶する手段と、（ｉｉｉ）その認証された利用者が患者である場合には、そのコンピュータ端末からの要求を待って或いは待たずに、その患者について設定されている運動プログラムを記憶装置から読み出す手段と、読み出した運動プログラムの設定内容をその患者のコンピュータ端末に送信する手段と、そのコンピュータ端末からの配信要求を待って或いは待たずに、記憶装置から読み出された運動プログラムに設定されている運動に対応した１又は複数の映像情報ユニットを記憶装置から読み出して、当該運動プログラムに設定されている順序で患者のコンピュータ端末に送信する手段とを備えている、運動プログラム提供システムを提供するとともに、複数種類の運動の映像を、運動の１種類ごとに１つの映像情報ユニットとして記憶する映像データベース、さらには、コンピュータ及び記憶装置を本発明の運動プログラム提供システムのウエブサーバ及び記憶装置として機能させる手順を記載したコンピュータプログラムを提供することによって、上記の課題を解決するものである。
【００１１】
本発明の運動プログラム提供システムの好ましい一実施形態においては、標準的な運動プログラムを記憶装置に記憶しておき、これを適宜、医療スタッフのコンピュータ端末に送信することができるようにしておくのが望ましく、このように標準的な運動プログラムを何種類か準備して、適宜、医師や理学療法士などの医療スタッフのコンピュータ端末に送信することによって、医療スタッフが個々の患者に運動プログラムを設定する際に、適宜参照したり、編集したりして利用することができるので、医療スタッフの労力の軽減を図ることができる。このような標準的な運動プログラムは、医療スタッフ及び／又はシステムの管理者によって、適宜、新たに追加登録したり、編集したり、削除したりすることができるようにしておくのが望ましい。
【００１２】
また、本発明の運動プログラム提供システムの好ましい一実施形態においては、入力又は選択した運動の映像を、医療スタッフのコンピュータ端末において適宜モニターできるようにしておくのが望ましく、また、選択された患者について過去に設定された運動プログラムの履歴及び／又はその内容を、医療スタッフのコンピュータ端末で見ることができるようにしておくのが望ましい。
【００１３】
さらに、本発明の運動プログラム提供システムの好ましい一実施形態においては、記憶装置には、記憶されている映像情報ユニットについての利用可能者情報が個々の映像情報ユニットと関連づけて記憶されているのが望ましく、ウエブサーバは、記憶装置に記憶されているこの利用可能者情報に基づいて、認証された利用者が利用可能者である映像情報ユニットについてのみ、当該映像情報ユニットとして記憶されている運動を特定する情報、および、当該映像情報ユニットを、その利用者のコンピュータ端末に送信する手段を備えているのが望ましい。これにより、本発明の運動プログラム提供システムを、利用可能な映像情報ユニットが異なる複数の利用者に適用することが可能となる。
【００１４】
さらに、本発明の運動プログラム提供システムの好ましい一実施形態においては、ウエブサーバが、１つの運動プログラムに設定されている運動に対応した１又は複数の映像情報ユニットを最後まで患者のコンピュータ端末に送信したときに、当該運動プログラムが１回実施されたと判断して、当該患者についての当該運動プログラムの実施記録として記憶装置に記憶する手段を備えているのが望ましく、この運動プログラムの実施記録を、適宜、医療スタッフのコンピュータ端末で見ることができるようにしておくのが望ましい。これにより、医療スタッフは、個々の患者の運動の実施状況を端末を介して把握することができる。
【００１５】
加えて、本発明の運動プログラム提供システムの好ましい一実施形態においては、運動の１つの映像情報ユニットが、運動開始時の運動者の姿勢を示す準備映像情報サブユニットと、運動者が実際に運動を行っている状態を示す運動映像情報サブユニットとに分割されて、記憶装置に記憶されているのが望ましく、これにより、ウエブサーバは、コンピュータ端末に対し、同一映像情報ユニットを連続して２回以上送信する場合、２回目以降の映像情報ユニットから準備映像情報サブユニットを省略して送信することが可能となるので、同じ運動の映像が連続して２回以上再生されても、違和感なく見ることができる。
【００１６】
なお、本発明における運動とは、患者の運動機能回復のためのリハビリ運動はもとより、患者の運動機能温存のための機能温存運動も含み、さらには、寝ている状態からのスムースな起き上がり方とか、座り方、或いは、浴槽の縁を越えて浴槽内への入り方・出方といった日常生活に必要な種々の動作を円滑かつ安全に実行するための、患者ごとに適切な手順を教授する、日常動作の運動も含むものである。
【発明の効果】
【００１７】
以上のような本発明の運動プログラム提供システムによれば、医師或いは理学療法士等の医療スタッフが、個々の患者に最も適切な運動プログラムを設定することができ、しかも、その設定されたプログラムの内容を、映像として、患者の端末に送信することができるので、患者は、医師の指導の下、医療機関内のベッドサイドにおいても、或いは、自宅においても、好きなときに好きな場所で、自分に合わせてカスタマイズされた運動プログラムを映像として見ながら、リハビリ運動や機能温存運動、さらには日常動作の運動といった種々の運動を実施することができるという極めて優れた効果が得られる。
【００１８】
本発明の運動プログラム提供システムによれば、医師や理学療法士等の医療スタッフにおいては、個々の患者に設定された運動プログラムをメモして手渡したりする手間がなくなり、個々の患者においては、自分に設定された適切な運動プログラムを、映像として見ながら運動を実施することができるので、間違いがなく、安心であるという利点が得られる。さらには、本発明の運動プログラム提供システムによれば、退院して、通院若しくは在宅治療の段階の患者であっても、医師の指導の下、継続してリハビリ運動等を続けることが容易となるという利点がある。特に、本発明の運動プログラム提供システムが、１つの運動プログラムに設定されている運動に対応した１又は複数の映像情報ユニットを最後まで患者のコンピュータ端末に送信したときに、当該運動プログラムが１回実施されたと判断して、当該患者についての当該運動プログラムの実施記録として記憶装置に記憶する手段を備えている場合には、個々の患者の運動の実施状況を医療スタッフが端末を介して適宜把握することができるという優れた利点が得られる。
【００１９】
また、本発明の映像データベースによれば、複数種類の運動の映像を、運動の１種類ごとに１つの映像情報ユニットとして、いつでも読み出して、任意の順序で並べたり、ネットワークを介して送信したりして利用することができるので、患者ごとに設定される運動プログラムがどのように変化しても、随時、対応することができるという利点がある。さらには、本発明のコンピュータプログラムは、汎用されているコンピュータ及び記憶装置を本発明の運動プログラム提供システムのウエブサーバ及び記憶装置として機能させることができるので、極めて有用である。
【発明を実施するための最良の形態】
【００２０】
以下、実施例に基づいて本発明を詳述するが、本発明が実施例のものに限られないことは勿論である。
【００２１】
〈システム構成〉
図１は、本発明の運動プログラム提供システムの一例を示す模式図である。図１において、１はウエブサーバ、２は記憶装置、３はルータであり、これらはインターネットデータセンター４内に存在している。ウエブサーバ１は、記憶装置２に常時ないしは随時接続し、記憶装置２からの情報の読み出しや記憶装置２への情報の記録などを行うと共に、アンチウイルス機能や暗号化通信の機能を備えた図示しないプロキシサーバやファイャーウォールを介して、ルータ３に接続され、さらには、インターネット網５に接続されている。図示の例では、ウエブサーバ１と記憶装置２とは、共に同じインターネットデータセンター４内に存在しているけれども、ウエブサーバ１と記憶装置２とは、必ずしも物理的に近接した場所になくても良く、例えば、遠隔地や異なるインターネットデータセンター内に存在して、随時ネットワークを介して接続されるようになっていても良い。なお、本発明の運動プログラム提供システムの管理者は、ウエブサーバ１を介して、システムの管理や設定の変更等を行うことができる。
【００２２】
１０、２０は、それぞれ病院などの医療機関であり、１１Ａ、１１Ｂ、及び、２１Ａ、２１Ｂは、それぞれ、医療機関１０および２０内に設置されている医療スタッフ用のコンピュータ端末、１２Ａ、１２Ｂ、及び、２２Ａ、２２Ｂは、それぞれ、医療機関１０および２０内に設置されている患者用のコンピュータ端末である。３０Ａ、３０Ｂは、患者宅に設置されている患者用のコンピュータ端末である。なお、医療スタッフ用のコンピュータ端末１１Ａ、１１Ｂ、２１Ａ、２１Ｂは、必ずしも医療機関内に設置されている必要はなく、医師や理学療法士などの医療スタッフの自宅に設置されているコンピュータ端末であっても、医師や理学療法士などの医療スタッフが適宜持ち歩く携帯端末であっても良い。同様に、患者用のコンピュータ端末３０Ａ、３０Ｂも、必ずしも患者宅に設置されている必要はなく、患者が適宜持ち歩く携帯端末であっても良い。
【００２３】
〈記憶装置〉
本発明の運動プログラム提供システムを構成する記憶装置２には、複数種類の運動の映像が、運動の１種類ごとに個別の映像情報ユニットとして記憶されており、映像データベースを構成している。この記憶装置２には、映像情報ユニットだけでなく、個々の映像情報ユニットに付与された属性情報も記憶されている。属性情報としては、映像情報ユニットが記憶されている個々の運動を特定する情報、さらには、当該映像情報ユニットについての利用可能者、すなわち、利用権限を有している医療機関或いは医療スタッフのリストや、利用できる期間などの管理情報を含めることができる。特に、映像情報ユニットが記憶されている個々の運動を特定する情報に関しては、医療スタッフや医療機関といった利用者若しくは利用者のグループごとに個別に設定可能とし、利用者若しくは利用者のグループごとに、記憶するのが望ましい。これにより、映像情報ユニットが記憶されている個々の運動を特定する情報に関しては、利用者若しくは利用者のグループ別に管理することが可能となる。この場合、利用者若しくは利用者のグループは、映像情報ユニットが記憶されている個々の運動を特定する情報について、独自に、追加、変更、削除などの編集をしてカスタマイズすることが可能である。
【００２４】
リハビリ運動や機能温存運動などの運動を特定する情報としては、例えば、運動させる身体の部位、運動の種類、運動の方向、運動の強さなどが挙げられる。これらを指標にして、リハビリ運動や機能温存運動などの運動は、区別することができる。例えば、運動させる身体の部位が股関節で、実施する運動の種類がストレッチ、運動の方向が股関節外方向、運動の強さは適宜に設定されたレベルで「２」という具合に、１つの運動を特定することができ、このように特定される運動が本発明でいう運動の１種類ということになる。また、日常動作の運動としては、寝ている状態からの起き上がり方、浴槽の縁の越え方といった種類に分けられ、さらには、まず体のどちら側を下側にするとか、どちらの足から上に上げるといった区別によって多数の種類の分けられ、このように動作の種類や、動作の仕方等によって分別された１つの運動が本発明でいう運動の１種類ということになる。
【００２５】
しかしながら、運動を特定する情報としての上記の指標はあくまでも一例であって、運動を特定する情報は上記のものに限られず、例えば、当該運動が対象とする患者の年代、性別、対象とする疾患名、所要時間などの情報を指標に個々の運動を特定することも可能である。また、利用者にとって分かりやすい特定の仕方としては、例えば、「頸部屈曲臥位」というように、運動の部位、運動の種類、および運動者の姿勢などを組み合わせて、その運動の名称とし、その名称を見るだけでどのような運動であるかが理解できるようにすることもできる。運動を特定する情報としてのこれらの指標には、階層関係をもたせることも可能であり、例えば、運動部位の下位に、運動の種類や運動の方向などを展開して利用者のコンピュータ端末に表示したり、年代という指標を上位にし、その下位に性別や、対象疾患等の指標を展開して表示することも適宜可能である。このような個々の運動を特定する指標は、その階層関係も含めて、運動を特定する情報として、属性情報に含めることができ、これらの属性情報は、上述したとおり記憶装置２に記憶される。
【００２６】
上述した映像情報ユニットとして記憶されている運動を特定する情報を含む属性情報は、その管理情報も含めて、システムの管理者によって適宜、修正、追加、削除等の編集ができることは勿論であるが、映像情報ユニットとして記憶されている運動を特定する情報に関しては、それら情報としての各指標の階層関係も含めて、上述したとおり、利用者若しくは利用者のグループごとに記憶装置２に記憶することによって、利用者である医師等の医療スタッフによって、適宜、修正、追加、削除等の編集が可能である。この場合、利用者である医師等の医療スタッフが編集できる属性情報は、当該医師等の医療スタッフが利用可能者である映像情報ユニットについてのものであることはいうまでもない。このようにしておくことにより、同じ映像情報ユニットに対し、例えば、医療機関１０と医療機関２０とで、異なる名称を付与したり、運動を特定する異なる指標を付与したり、異なる階層関係をもたせたりすることが可能となり、本発明の運動プログラム提供システムを各医療スタッフ或いは各医療機関ごとにカスタマイズすることが可能となる。
【００２７】
以上のようにして種類ごとに区別され特定される各種の運動は、個々の運動ごとに、例えば、模範運動者に実際に運動を実施してもらい、その様子をビデオで撮影することによって映像化することができる。撮影に際しては、まず最初に模範運動者に、適宜の時間を掛けて運動を開始する状態の姿勢をとってもらい、その後に、運動を開始してもらうという２段階で行うのが良い。このように、模範運動者に２段階で運動を行ってもらうことにより、患者が新たな種類の運動を実施する場合に、まず開始状態の姿勢をとるための時間的余裕が生まれ、無理なく運動を実施することができる。なお、特定の運動を続ける長さ、或いは回数には特段の制限はないけれども、運動として効果があると考えられる最低単位の長さ、或いは回数とするのが良い。撮影された映像は、適宜のデータ形式で、１種類の運動ごとに１つの映像情報ユニットとして、記憶装置２に記憶される。
【００２８】
記憶装置２に記憶される映像情報ユニットとしては、１つの映像情報ユニットを、運動を開始するときの運動者の姿勢を示す準備映像情報サブユニットと、運動者が実際に運動を行っている状態を示す運動映像情報サブユニットとに分割して記憶するのが良い。この運動を開始するときの運動者の姿勢を示す準備映像情報サブユニットと、運動者が実際に運動を行っている状態を示す運動映像情報サブユニットとが、上述した撮影時における、運動を開始する状態の姿勢の映像と、その後に、運動を開始した状態の映像のそれぞれに対応していることはいうまでもない。１つの映像情報ユニットを、このように準備映像情報サブユニットと、運動映像情報サブユニットとに分割しておくことにより、同じ種類の運動の映像を連続して２回以上送信する場合、２回目以降の映像からは、特段必要のない準備映像情報サブユニットを省略して送信することが容易に行えるという利点がえられる。
【００２９】
記憶装置２に記憶される映像情報ユニットは、適宜追加したり、削除したり、変更したりすることができる。記憶装置２に記憶される映像情報ユニットの数が多いほど、すなわち、映像が記憶されている運動の種類が多いほど、後述する運動プログラムの内容を、より多様化した自由度の多い、豊富なものとすることができる。なお、記憶装置２に記憶される映像情報ユニットの追加は、システムの管理者だけでなく、利用者である医師等の医療スタッフが行うことも可能である。この場合、利用者である医師等の医療スタッフは、利用したい運動の映像を自分で撮影し、それを適宜のデータ形式で、直接、ネットワークを介してウエブサーバ１に送信して、記憶装置２に記憶するようにしても良いし、別途、必要があれば、運動の映像の撮影を含めて、システム管理者に依頼して、新たな映像情報ユニットを、記憶装置２に記憶するようにしても良い。このとき、この新たに記憶された映像情報ユニットには、適宜の属性情報が付与される。また、掛け声や音声ガイダンスなどの音声情報や、テロップ等の文字情報や、ＢＧＭとなる音楽情報などを、映像情報ユニットとして記憶装置２に記憶される映像情報に含めたり、映像情報と関連づけて記憶装置２に記憶させても良いことは勿論である。
【００３０】
記憶装置２には、上記した情報以外に、例えば、当該運動プログラム提供システムに加入している医師や理学療法士等の医療スタッフについての所属機関や職種、アクセス権などの関連情報や認証情報、また、当該リハビリ運動プログラム提供システムに加入している患者についての医療情報や認証情報、さらには、個々の患者についての設定されている運動プログラムについての情報やその設定履歴、１又は複数の標準的な運動プログラム、その他、必要な医療情報などを記憶させることができる。
【００３１】
記憶装置２は、図１においてはデータセンター４内にある１つの記憶装置であるけれども、場合によっては、複数の記憶装置から構成されていても良く、その場合、記憶装置２を構成する１又は２以上の記憶装置は、遠隔地にあって、インターネット網やＬＡＮなどのネットワークを介して、ウエブサーバ１が随時接続できるものであっても良い。
【００３２】
以下、図面を用いて、本発明の運動プログラム提供システムを詳細に説明する。
【００３３】
〈コンピュータ端末利用者の認証〉
医療スタッフ用のコンピュータ端末１１Ａ、１１Ｂ、２１Ａ、２１Ｂ、或いは、患者のコンピュータ端末１２Ａ、１２Ｂ、２２Ａ、２２Ｂ、３０Ａ、３０Ｂのいずれかから、本発明の運動プログラム提供システムに接続要求があった場合、ウエブサーバ１は、接続要求のあったコンピュータ端末に、例えば、図２に示すようなログインページを送信する。ログインページは、医療スタッフ用と患者用とで同じであっても良いし、ログイン用のＵＲＬを２種類用意しておいて、医療スタッフ用と患者用とで異ならせても良い。
【００３４】
利用者は、図２に示されるようなログインページから自分のＩＤとパスワードを入力するか、認証情報を格納したカードをカード読み取り機にかざして、自己の認証情報を、ウエブサーバ１に送信する。ウエブサーバ１は、記憶装置２に記憶されている認証情報と照合して、その利用者が正規の利用者であるかどうかを判断し、正規の利用者である場合、その利用者を特定し、医療スタッフと患者のいずれであるかを判別する。すなわち、ウエブサーバ１は、コンピュータ端末からネットワークを介しての接続要求があったとき、その接続要求のあったコンピュータ端末の利用者を認証する手段を備えていることになる。なお、医療スタッフには、医師や理学療法士などのほか、看護師などの医療関係者を含めても良い。また、上記の認証方法は単なる例示であって、ウエブサーバ１は、接続要求のあったコンピュータ端末の利用者の認証を他の方法で行っても良いことは勿論である。
【００３５】
〈医療スタッフのコンピュータ端末〉
認証されたコンピュータ端末の利用者が医療スタッフである場合、ウエブサーバ１は、その利用者のコンピュータ端末に、例えば図３に示すような患者検索ページ４０、及び、患者基本情報表示ページ４１を送信する。図３に示すように、患者検索ページ４０は図３の左側に表示されており、右側に表示されているのが患者基本情報表示ページ４１である。患者検索ページ４０には、その上段に、４２で示すとおり、利用者である医療スタッフの名前を表示するスペースが設けられ、その下には、４３で示すとおり、検索する患者名の入力スペースが設けられている。検索結果は、４４で示すように、リストとして表示されるようになっている。また、４５で示す「施設内の全患者を表示する」ボタンが設けられていて、必要であれば、施設内、例えば病院内の全患者のリストを表示することができるようになっている。なお、医療スタッフ群ごとに、或いは個々の医療スタッフごとに、患者に対するアクセス権を設定して、特定の医療スタッフが検索又は表示することができる患者、或いは、後述する患者基本情報の入力や編集、さらには運動プログラムの設定が可能な患者を制限する手段をウエブサーバ１に備えさせることも適宜実施可能である。
【００３６】
患者検索ページで選択された患者についての基本情報は、ウエブサーバ１によって記憶装置２から読み出され、図３の右側にある患者基本情報表示ページ４１に患者基本情報４６として表示される。なお、この患者基本情報表示ページ４１には、当該患者の疾患の種類や、運動機能障害の種類や程度、既往歴などの情報を併せて表示するようにしても良い。患者基本情報表示ページ４１には、その上部に、「設定」タブ４７や、「実施歴」タブ４８などのタブが設けられており、これらのタブがクリックなどで選択されると、その信号を受けて、ウエブサーバ１は、当該利用者のコンピュータ端末に、それぞれ、図４及び図５の右側に示す、設定・編集ページ４９、実施歴閲覧ページ５０を送信することになる。すなわち、ウエブサーバ１には、医療スタッフのコンピュータ端末に、個々の患者についての運動プログラムを設定及び／又は編集する運動プログラム設定・編集ページ４９を送信する手段が設けられていることになる。
【００３７】
図４に示すとおり、運動プログラム設定・編集ページ４９には、オーダ情報欄５１、プレビュー画面５２、コンテンツ一覧５３、及び、設定・編集欄５４が設けられている。ウエブサーバ１は、この運動プログラム設定・編集ページ４９を利用者のコンピュータ端末に送信するときに、記憶装置２に記憶されている属性情報の中の管理情報に基づいて、自動的に、当該利用者が利用可能者である映像情報ユニットについて、その映像情報ユニットとして記憶されている運動を特定する情報を記憶装置２から読み出して、それを利用者のコンピュータ端末に送信して、この運動プログラム設定・編集ページ４９のコンテンツ一覧５３に表示する手段を備えている。図示の例においては、映像情報ユニットの名称だけでなく、その階層関係や、所要時間も表示されている。なお、運動を特定する情報の、利用者のコンピュータ端末への送信と、コンテンツ一覧５３への表示は、利用者のコンピュータ端末からの要求を待って行うようにしても良い。
【００３８】
映像情報ユニットが記憶されており、かつ、当該利用者が利用可能者である映像情報ユニットは、図４のコンテンツ一覧５３に示されるとおり、例えば、運動の部位、運動の種類等のその運動を特定する情報としての各種指標によって階層づけられ、階層構造をもって、利用可能な映像付きの運動の種類の一覧として表示される。なお、このようなコンテンツ一覧５３の中に、浴槽への入り方や、起き上がり方といった日常動作の運動が表示されていても良いことは勿論である。医療スタッフは、このコンテンツ一覧５３の中から適宜のコンテンツ、すなわち適宜の運動を選択して、例えば、追加ボタン５５をクリックすることによって、設定・編集欄５４において設定ないしは編集中の運動プログラムに追加し、任意の位置に移動させることができる。また、同時に複数のコンテンツ、すなわち複数の運動を選択して一挙に設定・編集欄５４に追加することを可能にしても良い。
【００３９】
また、例えば、コンテンツ一覧５３の中から１又は複数の任意のコンテンツ、すなわち複数の運動を選択して、例えば、プレビュー画面５２の下に設けられている再生ボタンをクリックすることによって、その映像をプレビュー画面５２に再生させて、確認することができる。すなわち、コンテンツ一覧５３において、特定の１又は複数のコンテンツが選択され、プレビュー画面下の再生ボタンがクリックされると、その信号は、当該利用者のコンピュータ端末から、対応する映像情報の配信要求となってウエブサーバ１へと送信され、配信要求を受けたウエブサーバ１は、対応する１又は複数の映像情報ユニットを記憶装置２から読み出して、配信要求のあったコンピュータ端末へと送信する。この場合にも、ウエブサーバ１は、記憶装置２に記憶されている管理情報に基づいて、配信要求のあったコンピュータ端末の認証された利用者が、配信要求のあった映像情報ユニットについての利用可能者であるか否かを判別し、利用可能者である場合にのみ、当該映像情報ユニットを利用者のコンピュータ端末に送信する。映像情報ユニットの送信を受けたコンピュータ端末は、受信した映像情報を適宜のプレーヤーソフトによって再生し、プレビュー画面５２に表示することになる。なお、ウエブサーバ１からコンピュータ端末への映像情報ユニットの送信は、後述する場合も含めて、ストリーミング型、或いはダウンロード型のいずれであっても良く、またその他の型であっても良い。
【００４０】
このように、使用可能な映像付きの運動の種類を、コンテンツ一覧５３に表示することによって、医療スタッフは、どのような運動を運動プログラムの中に組み込むことができるかを予め知ることができるとともに、コンテンツ一覧５３の中から必要な運動を選択して、運動プログラムの設定又は編集を行うことができるので、極めて便利である。
【００４１】
一方、運動プログラムの設定・編集欄５４には、設定すべき運動を特定する情報を入力或いは設定する欄が設けられており、例えば、「股関節」の欄には、「股関節」の文字を直接入力することもできるし、上述したコンテンツ一覧５３から「股関節」を選択し、追加ボタン５５をクリックして設定・編集欄５４に追加し、次いで、設定・編集欄５４の「股関節」を追加すべき欄に移動させることによって、「股関節」を入力することも可能である。或いは、「股関節」の欄は、運動をするべき身体の部位に相当する階層にあるので、「股関節」の欄を例えばクリックすることによって、その下に、選択可能な身体の部位のメニューをプルダウン方式で表示し、その中から設定すべき身体の部位を医療スタッフが適宜選択できるようにしても良い。同様に、その下の階層に位置する、例えば、運動の種類を設定するには、身体の部位の場合と同様に、「ストレッチ」の欄に直接「ストレッチ」と入力しても良いし、コンテンツ一覧５３から選択して入力するようにしても、また、プルダウンメニューの中から選択して入力するようにしても良い。さらにその下の階層の、例えば、運動の方向や、例えば、運動の強さの欄についても同様である。なお、上述した運動の階層は一つの例示であって、上述した階層に限られるものではない。
【００４２】
また、設定・編集欄５４において、任意の１又は複数の運動を選択して、その１又は複数の運動を、運動プログラム中の他の位置に移動させることも、また、任意の運動を選択して消去することも、適宜可能である。同じ運動を２回以上繰り返すように設定する場合には、その繰り返し回数を、当該運動に対応した回数欄に入力すれば良い。以上のような操作によって、設定・編集欄５４に、個々の運動を入力、設定することを可能にするコンピュータプログラムは、ウエブサーバ１から、運動プログラム設定・編集ページが利用者のコンピュータ端末に送信される際に、ウエブサーバ１から併せて送信するようにしておくのが望ましい。
【００４３】
設定・編集欄５４においても、任意の運動の１又は複数を選択し、プレビューボタンをクリックするか、プレビュー画面５２下の再生ボタンをクリックすることによって、選択した運動の映像をプレビュー画面５２に再生して、その内容を確認することができる。このときの、コンピュータ端末からの映像情報の配信要求と、その配信要求を受けたウエブサーバ１の対応は、上記のコンテンツ一覧５３におけると同様である。なお、設定・編集欄５４には、連続プレビューボタン５６も設けられており、設定された、又は編集中の運動プログラムの全体を映像として、プレビュー画面５２に再生して確認することも可能である。
【００４４】
なお、コンテンツ一覧５３の中には、標準運動プログラムとして、例えば、機能障害の種類や、温存すべき運動機能の種類、或いは、教授すべき日常動作の種類等に応じて予め作成され、記憶装置２に記憶されている標準的な運動プログラムのリストも併せて表示するのが望ましい。医療スタッフは、その表示されたリストの中から適宜の標準運動プログラムを選択し、コンテンツ一覧５３の欄或いは設定・編集欄５４にその全体内容を表示させて、運動プログラムを設定する際の参考としたり、編集対象として利用することができる。なお、このような標準運動プログラムは、本発明の運動プログラム提供システムの管理者だけでなく、個々の医療スタッフが、新たに作成して当該システムに標準運動プログラムとして登録したり、既に登録されている標準運動プログラムを編集したり、削除したりすることができるようにしておくのが望ましい。この場合、利用者である医療スタッフによって新たに登録されたり、編集された標準運動プログラムに関しては、当該利用者若しくは当該利用者が所属する医療機関等の利用者のグループごとに、記憶装置２に記憶し、利用者若しくは利用者のグループごとに管理できるようにするのが良い。また、個々の標準運動プログラムについての利用可能者についての情報も、個々の標準運動プログラムと関連づけて、管理情報として、記憶装置２に記憶されている。医療スタッフのコンピュータ端末において、上述のような操作を可能にするコンピュータプログラムも、ウエブサーバ１から、運動プログラム設定・編集ページが利用者のコンピュータ端末に送信される際に、ウエブサーバ１から併せて送信するようにしておくのが望ましい。
【００４５】
以上のようにして、運動プログラムの設定ないしは編集が終了すると、当該コンピュータ端末の利用者である医療スタッフは、オーダ情報欄５１に、必要に応じて、開始日や終了日などの情報を入力し、登録ボタン５７をクリックして、設定した運動プログラムの内容を、ウエブサーバ１に送信する。送信される運動プログラムは、運動、その繰り返し回数、及び、実行順序の情報を１セットの情報として含み、加えて、対象となる患者が誰であるかについての情報、並びに、設定した医療スタッフの名前、設定日、開始日、終了日等の情報も含んでいる。ウエブサーバ１は、医療スタッフのコンピュータ端末から、設定された運動プログラムの内容を受信すると、それを、当該患者についての設定された１つの運動プログラムとして記憶装置２に記憶する。
【００４６】
ウエブサーバ１は、このようにして記憶装置２に記憶した運動プログラムを、医療スタッフのコンピュータ端末に送信する手段を備えており、医療スタッフは、コンピュータ端末を介して、特定の患者に過去に設定した運動プログラムの履歴やその内容等を、必要に応じて参照することが可能である。
【００４７】
一方、図５に示す実施歴閲覧ページ５０には、選択された特定の患者についての、運動プログラムの実施歴が表示される。すなわち、後述するとおり、ウエブサーバ１は、１つの運動プログラムに設定されている運動に対応した１又は複数の映像情報ユニットを最後まで患者のコンピュータ端末に送信したときに、当該運動プログラムが１回実施されたと判断して、当該患者についての当該運動プログラムの実施記録として記憶装置２に記憶する手段を備えているので、この記憶装置２に記憶した情報を、医療スタッフのコンピュータ端末において「実施歴」のタブ４８が選択されたときに、実施歴閲覧ページとして、医療スタッフのコンピュータ端末に送信し、実施歴閲覧ページに表示する。これにより、医療スタッフは、特定の患者について、運動プログラムの実施状況をコンピュータ端末を介して把握することができる。
【００４８】
〈患者のコンピュータ端末〉
認証されたコンピュータ端末の利用者が患者である場合には、ウエブサーバ１は、その利用者のコンピュータ端末に、例えば図６に示すようなメニューページ６０、及び、運動プログラム実施ページ６１を送信する。メニューページ６０には、当該患者の氏名６２と、設定されている運動プログラムのリスト６３とが表示される。同時に、ウエブサーバ１は、当該患者に設定されている運動プログラムのうち、設定日時が最も新しい運動プログラムの内容を、運動プログラム実施ページ６１の運動プログラム内容欄６４に表示する。さらに、ウエブサーバ１は、運動プログラム内容欄６４に表示されている運動プログラムの最初の運動に対応する映像情報ユニットを当該患者のコンピュータ端末に送信し、運動を開始するときの運動者の姿勢をモニター画面６５に表示する。ウエブサーバ１は、この時点で、最初の運動に対応する映像情報ユニットだけでなく、２番目以降に設定されている１又は複数の運動に対応する映像情報ユニットを、患者のコンピュータ端末に送信するようにしても良い。この表示が、患者のコンピュータ端末にインストールされている適宜のプレーヤーソフトによって行われることはいうまでもない。この状態で、当該患者が運動プログラム実施ページ６１上でモニター画面６５下の再生ボタンを押すと、運動プログラムに設定されている運動の映像の再生が開始されることになる。場合によっては、患者のコンピュータ端末からの再生ボタンを介しての配信要求があるまで、ウエブサーバ１は、映像情報ユニットを患者のコンピューター端末に送信するのを待っても良い。なお、ウエブサーバ１から患者のコンピュータ端末への映像情報ユニットの送信も、後述する場合も含めて、ストリーミング型、或いはダウンロード型のいずれであっても良く、またその他の型であっても良い。
【００４９】
上述の例では、ウエブサーバ１は、患者端末からの要求を待たずに、当該患者に設定されている運動プログラムのうち、設定日時が最も新しい運動プログラムの内容を、運動プログラム実施ページ６１の運動プログラム内容欄６４に表示するようにしたけれども、メニューページ６０に表示されている運動プログラムのリスト６３から、患者が特定の運動プログラムを選択するのを待って、選択された運動プログラムの内容を、患者のコンピュータ端末に送信するようにしても良いし、患者が特定の運動プログラムを選択した場合には、選択された運動プログラムの内容を患者のコンピュータ端末に送信して、当初表示していた設定日時が最も新しい運動プログラムと差し替えても良い。この場合、患者が、メニューページ６０において、特定の運動プログラムを選択すると、その信号は、患者のコンピュータ端末からの要求信号としてウエブサーバ１に送信され、ウエブサーバは、その患者について設定されている選択された運動プログラムを記憶装置２から読み出して、読み出した運動プログラムの設定内容をその患者のコンピュータ端末に送信し、運動プログラム実施ページ６１の運動プログラム内容欄６４に表示することになる。このとき、ウエブサーバ１は、上述した例におけると同様に、運動プログラム内容欄６４に表示されている運動プログラムの最初の運動に対応する映像情報ユニットを当該患者のコンピュータ端末に送信し、運動を開始するときの運動者の姿勢をモニター画面６５に表示する。ウエブサーバ１は、この時点で、最初の運動に対応する映像情報ユニットだけでなく、２番目以降に設定されている運動に対応する１又は複数の映像情報ユニットを、患者のコンピュータ端末に送信するようにしても良い。或いは、場合によっては、患者のコンピュータ端末からの再生ボタンを介しての配信要求があるまで、ウエブサーバ１は、２番目以降に設定されている運動に対応する映像情報ユニットを患者のコンピューター端末に送信するのを待っても良い。
【００５０】
以上のとおり、ウエブサーバ１は、患者のコンピュータ端末からの要求を待って或いは待たずに、その患者について設定されている運動プログラムを記憶装置から読み出す手段と、読み出した運動プログラムの設定内容をその患者のコンピュータ端末に送信する手段とを備えているということになる。なお、患者がメニューページ６０において、現在選択中の運動プログラムとは異なる他の運動プログラムを新たに選択した場合には、その選択信号は、患者のコンピュータ端末からの要求信号としてウエブサーバ１に送信され、ウエブサーバは、その患者について設定されている新たに選択された運動プログラムを記憶装置２から読み出して、読み出した運動プログラムの設定内容をその患者のコンピュータ端末に送信し、運動プログラム実施ページ６１の運動プログラム内容欄６４に表示することになる。このとき、ウエブサーバ１は、最初の運動に対応する映像情報ユニットを当該患者のコンピュータ端末に送信して、患者のコンピュータ端末の適宜のプレーヤーソフトによって、運動を開始するときの運動者の姿勢をモニター画面６５に表示されるようにしても良いし、ウエブサーバ１は、患者のコンピュータ端末からの再生ボタンを介しての配信要求があるまで、映像情報ユニットを患者のコンピュータ端末に送信するのを待っても良い。
【００５１】
図６の右側に表示されている運動プログラム実施ページ６１における運動プログラム内容欄６４に表示されている例においては、例えば、体幹に関し、股関節、膝関節、手関節についての運動と、股関節についての運動と、肩関節についての運動が設定され、続いて、頸部の運動とが設定されており、全体では、合計６分５７秒の時間を要することが表示されている。また、体幹の肩関節についての屈曲臥位の運動は３回繰り返すように、頸部についての屈曲臥位の運動は２回繰り返すように設定が為されている。このような表示によって、患者は、自分がどのような運動プログラムを実施することになるのかを理解することが可能となる。
【００５２】
続いて、患者がこの表示された運動プログラムを実施する場合には、モニター画面６５の下にある再生ボタンをクリックすれば良い。再生ボタンがクリックされると、その信号は映像情報の配信要求となってウエブサーバ１に送信され、ウエブサーバ１は、この患者のコンピュータ端末からの配信要求に基づいて、選択されている運動プログラムに設定されている運動に対応した１又は複数の映像情報ユニットを記憶装置２から読み出して、当該運動プログラムに設定されている順序で患者のコンピュータ端末に送信することになる。なお、選択されている運動プログラムとは、ウエブサーバ１が、記憶装置２から読み出して、患者のコンピュータ端末に送信し、運動プログラム実施ページ６１の運動プログラム内容欄６４に表示している運動プログラムのことである。
【００５３】
患者のコンピュータ端末に送信された複数の映像情報ユニットは、患者のコンピュータ端末にインストールされている適宜のプレーヤーソフトで再生されて、モニター画面６５に動画映像として表示される。このとき、ウエブサーバ１から送信されてくる映像情報ユニットに、音声ガイダンスやかけ声などの音声情報や、テロップなどの文字情報、さらにはＢＧＭ等の音楽情報が含まれているか、付随している場合には、これらも併せて再生される。
【００５４】
モニター画面６５の映像が小さい場合には、「拡大再生」ボタン６６をクリックすることによって、図７に示すように、映像を拡大表示することも可能であり、「次の運動」ボタン６７をクリックして、運動をスキップすることや、運動によって、例えば運動部位に痛みを感じた場合などには、「中止」ボタン６８をクリックして、映像の再生を途中で停止させることも可能である。また、「最初からもう一度」ボタン６９をクリックして、映像の再生を最初からもう一度やり直すことも随意である。
【００５５】
このように、本発明の運動プログラム提供システムによれば、選択された運動プログラムが、模範運動者による運動の映像として、患者のコンピュータ端末上で再生されるので、患者は、ベッドサイドであっても、また、自宅においても、この再生される運動の映像を見ながら、リハビリ運動や機能温存運動などの運動を実施することができるものである。しかも、映像として再生される運動は、医師又は理学療法士等の医療スタッフによって当該患者用にカスタマイズされて設定されたものであり、再生される運動の映像を正確にまねることによって、患者は、自己に合った適切な運動を、コンピュータ端末を見ながら、容易に行うことが可能である。
【００５６】
なお、個々の運動の映像情報ユニットには、最初に、運動を開始する状態の姿勢を示す準備映像情報サブユニットと、運動者が実際に運動を行っている状態を示す運動映像情報サブユニットとが含まれているので、映像情報ユニットを再生すると、最初に、運動を開始する状態の姿勢を示す準備映像が表示されるので、患者は、まず、この準備映像を見て、運動開始時の姿勢を取ることができ、続いて、再生される実際に運動を行っている状態の映像を見ながら、運動を実施することができる。運度の種類が変わるときにも、最初には必ず運動を開始する状態の姿勢を示す準備映像が表示されるので、患者は、この準備映像を見ながら、十分な余裕をもって、次の運動の準備をすることができる。なお、このような準備映像は、同じ種類の運動が連続して２回以上繰り返される場合には、不要であるので、ウエブサーバ１は、設定されている運動プログラムに同じ種類の運動を連続して２回以上繰り返す設定が含まれている場合には、その運動については、２回目以降に相当する映像情報ユニットからは、必要のない準備映像情報サブユニットを省略して送信することとなる。
【００５７】
ウエブサーバ１は、上記のようにして、運動プログラムに設定されている運動に対応した１又は複数の映像情報ユニットを最後まで患者のコンピュータ端末に送信したときに、当該運動プログラムが１回実施されたと判断して、当該患者についての当該運動プログラムの実施記録として記憶装置２に記憶する手段を備えている。ウエブサーバ１は、この記憶装置２に記憶されている運動プログラムの実施記録を、適宜、医療スタッフのコンピュータ端末に送信して、例えば、上述した図５に示す実施歴閲覧ページ５０に表示することができる。これにより、医療スタッフが、個々の患者の運動の実施状況を端末を介して把握することができるという利点が得られることは上述したとおりである。
【００５８】
以上述べたような本発明の運動プログラム提供システムは、コンピュータと記憶装置と、コンピュータと記憶装置とを、それぞれ、本発明の運動プログラム提供システムのウエブサーバ１、及び記憶装置２として機能させる手順を記載したコンピュータプログラムとによって構築される。このようなコンピュータプログラムは、上述した本発明の運動プログラム提供システムの詳細に基づいて、当業者であれば容易に構築することが可能である。
【産業上の利用可能性】
【００５９】
以上説明したように、本発明の運動プログラム提供システムは、運動が必要な患者に、その患者に合わせて設定された適切な運動プログラムを、ベッドサイドであっても、自宅であっても、どこにいても、自在かつ容易に実施することを可能にするものであり、患者の身体的運動機能の早期の回復や運動機能の温存、さらには、日常動作の安全かつ円滑な遂行を実現するに極めて有用であって、その医療現場にもたらす効果には絶大なものがある。また、本発明のコンピュータプログラムは、コンピュータと記憶装置を用いて本発明の運動プログラム提供システムを構築することを可能にするものであり、極めて有用なものである。さらに、複数種類の運動の映像を、運動の１種類ごとに個別の映像情報ユニットとして記憶する本発明の映像データベースは、そこから適宜の映像情報ユニットを読み出して、適宜並べ替え、編集することによって、種々の患者に適した多種類の運動プログラムを映像として再生することを可能にするものであり、本発明の運動プログラム提供システムを構成する基本要素として有用、かつ不可欠のものである。
【図面の簡単な説明】
【００６０】
【図１】本発明の運動プログラム提供システムの一例を示す模式図である。
【図２】ログインページの一例を示す図である。
【図３】医療スタッフのコンピュータ端末用の患者検索ページと患者基本情報表示ページの一例を示す図である。
【図４】医療スタッフのコンピュータ端末用の運動プログラム設定・編集ページの一例を示す図である。
【図５】医療スタッフのコンピュータ端末用の実施歴閲覧ページの一例を示す図である。
【図６】患者のコンピュータ端末用のメニューページ及び運動プログラム実施ページの一例を示す図である。
【図７】拡大再生画面の一例を示す図である。
【符号の説明】
【００６１】
１            ウエブサーバ
２            記憶装置
３            ルータ
４            インターネットデータセンター
５            インターネット網
１０、２０    医療機関
１１Ａ、１１Ｂ、２１Ａ、２１Ｂ    医療スタッフのコンピュータ端末
１２Ａ、１２Ｂ、２２Ａ、２２Ｂ、３０Ａ、３０Ｂ    患者のコンピュータ端末
４０          患者検索ページ
４１          患者基本情報表示ページ
４９          運動プログラム設定・編集ページ
５０          実施例閲覧ページ
６０          メニューページ
６１          運動プログラム実施ページ
【図１】
2008107883.tif 000003
【図２】
2008107883.tif 000004
【図３】
2008107883.tif 000005
【図４】
2008107883.tif 000006
【図５】
2008107883.tif 000007
【図６】
2008107883.tif 000008
【図７】
2008107883.tif 000009